(57)【要約】【課題】  電源を不要とするとともに、構造を簡素化し、モップを効率よく洗浄可能なモップ洗浄器を提供する。【解決手段】  槽本体１内にモップを絞る絞り機構１３が内部に設けられた洗浄槽１０と、洗浄槽１０下部に取り付けられ洗浄槽１０内に洗浄水を供給する給水管１１と、洗浄槽１０内からその深さの範囲内で立上り状に延び、頂部に排水口１２ａを有するオーバーフロー管１２と、洗浄槽１０の下方に配設され、かつ排水管を有しオーバーフロー管１２からの排水が流入する排水桝２７とを備える。【選択図】    図２
2006263123.tif 000002
【特許請求の範囲】
【請求項１】
槽本体内の一側に洗剤液を収容する洗剤桶が掛止可能に配設された桶支持具と、
前記槽本体内の他側にモップを絞る絞り機構が内部に設けられた洗浄槽と、
前記洗浄槽下部から同洗浄槽内に洗浄水を供給する給水管と、
前記洗浄槽内からその深さの範囲内で立上り状に延び、頂部に排水口を有するオーバーフロー管と、
前記洗浄槽の下方に配設され、かつ排水管を有し前記オーバーフロー管からの排水が流入する排水桝と、
前記桶支持具と前記洗浄槽との間の前記槽本体底面に着脱可能に取り付けられ、前記洗剤桶から溢れ出た洗剤液を前記排水桝に導く導入蓋とを備え、
前記絞り機構は、固定ローラと、この固定ローラに接離可能な可動ローラと、この可動ローラを支持し同可動ローラを前記固定ローラ側に移動させるリンク機構と、前記洗浄槽から上方に延びるように前記リンク機構に連結されたペダルとを備えることを特徴とするモップ洗浄器。
【発明の詳細な説明】
【技術分野】
【０００１】
本発明は、床掃除等に用いられるモップを洗浄するためのモップ洗浄器に関する。
【背景技術】
【０００２】
一般に、床掃除には、モップが用いられている。そして、床掃除に際し、モップの紐部分が汚れたら、水ですすぎ、足踏みペダルを踏んで対をなすローラ間に紐部分を挟み込み、絞りながらモップの柄を手で引き上げて使用するのが一般的な方法である。
【０００３】
このようなモップ洗浄機には、特許文献１に開示されたものがある。このモップ洗浄機は、槽本体内に配置されたモップ洗浄用の水槽と、該水槽の開口部上方に配置さればね力で互いに接する状態で前記槽本体に支持された一対の支持絞りローラと、前記水槽に設けられたパルセーターと、該パルセーターを駆動するモーターと、前記水槽に対する給排水機構と、前記モーター及び前記給排水機構を制御するコントローラと、前記槽本体に設けられ前記一対の支持絞りローラを離間させる足踏式のペダルと、前記槽本体に設けられ前記コントローラによる洗浄処理の起動停止を制御する足踏式のペダルとを備えたものである。
【特許文献１】特開２０００−２４５６７６公報
【発明の開示】
【発明が解決しようとする課題】
【０００４】
しかしながら、上記特許文献１に開示された従来のモップ洗浄機は、モップを効率よく洗浄するため、水槽の長手方向の側面にパルセーターを配置し、このパルセーターを、モーターを回転駆動して回転させ、一対の支持絞りローラに支持したモップの紐の長手方向から水流を起こすようにしている。したがって、従来のモップ洗浄機は、水流発生用のパルセーター、クラッチ及び上記パルセーターの駆動源としてのモーター等が必要であるため、構成要素が多くなり、構造が複雑化するという問題がある。このようなモップ洗浄機を使用するには、常に電源が必要になることから、使用場所が制限され、使い勝手が悪いという問題もある。
【０００５】
そこで、本発明は、電源を不要とするとともに、構造を簡素化し、モップを効率よく洗浄可能なモップ洗浄器を提供することを目的とする。
【課題を解決するための手段】
【０００６】
上記目的を達成する請求項１の発明は、槽本体内の一側に洗剤液を収容する洗剤桶が掛止可能に配設された桶支持具と、前記槽本体内の他側にモップを絞る絞り機構が内部に設けられた洗浄槽と、前記洗浄槽下部に取り付けられ同洗浄槽内に洗浄水を供給する給水管と、前記洗浄槽内からその深さの範囲内で立上り状に延び、頂部に排水口を有するオーバーフロー管と、前記洗浄槽の下方に配設され、かつ排水管を有し前記オーバーフロー管からの排水が流入する排水桝と、前記桶支持具と前記洗浄槽との間の前記槽本体底面に着脱可能に取り付けられ、前記洗剤桶から溢れ出た洗剤液を前記排水桝に導く導入蓋とを備え、前記絞り機構は、固定ローラと、この固定ローラに接離可能な可動ローラと、この可動ローラを支持し同可動ローラを前記固定ローラ側に移動させるリンク機構と、前記洗浄槽から上方に延びるように前記リンク機構に連結されたペダルとを備えることを特徴とする。
【発明の効果】
【０００７】
請求項１の発明によれば、洗浄槽下部に取り付けられた給水管から洗浄水を供給し、洗浄槽内からその深さの範囲内で立上り状に延びるオーバーフロー管を経て排水するようにしたので、洗浄槽内にモップを洗浄するための望ましい循環水流を発生できる。その結果、電源及びモーター等の駆動源が不要となり、モップを効率よく洗浄できる。
【０００８】
また、洗剤桶と洗浄槽とが同じ槽本体内に配置されているので、モップに洗剤液を付けて洗浄槽での洗浄作業が容易になるとともに、床面に洗剤液をこぼすことがなくなり、床面を汚すことがなくなる。
【０００９】
さらに、洗剤桶から槽本体底面に溢れ出た洗剤液を、導入蓋を経て排水桝に導くようにしたので、槽本体底面からの洗剤液の排出が容易になり、槽本体底面を常に清潔にしておくことができる。
【００１０】
そして、洗浄槽内からその深さの範囲内で立上り状に延び、頂部に排水口を有するオーバーフロー管を設けたので、洗浄槽から外部に洗浄水が溢れるという不測の事態を未然に防止できる。
【発明を実施するための最良の形態】
【００１１】
以下、本発明の一実施形態を図面に基づいて説明する。
【００１２】
図１は本発明に係るモップ洗浄器の一実施形態を示す正面構成図、図２は図１の平面図、図３は図１の側面構成図、図４は図３の絞り機構を示す拡大図、図５は全体の斜視図である。なお、以下の説明では、作業者がモップ洗浄作業を行う場合、槽本体に向かって手前側を正面（図２の下方）、奥側を背面（図２の上方）、左右を側面（図２の左右）とする。
【００１３】
図１〜図３及び図５に示すように、槽本体１は、縦５２０ｍｍ、横１３５０ｍｍ、高さ７２５ｍｍの箱状に形成され、底板１ａ、正面板１ｂ、側板１ｃ，１ｃ及び背板１ｄから構成されている。これら底板１ａ、正面板１ｂ、側板１ｃ，１ｃ及び背板１ｄは、それぞれの板厚が２ｍｍであり、互いに溶着することにより槽本体１が構成される。
【００１４】
底板１ａは、その縦横の寸法が槽本体１と略同じの矩形状に形成されている。この底板１ａには、正面板１ｂ、側板１ｃ，１ｃ及び背板１ｄがそれぞれ立設されている。正面板１ｂは、幅の狭い矩形に形成され、側板１ｃ，１ｃは、それぞれ正面側を傾斜させて略台形状に形成されている。そして、背板１ｄは、幅広の矩形に形成され、その高さが側板１ｃ，１ｃと同一高さである。
【００１５】
また、槽本体１は架台２上に設置されている。この架台２は、縦横同寸法で高さ１８０ｍｍの矩形枠立体構造物からなる。この架台２における後述する踏台の取付部分を除く正面及び側面には、厚さ０．６ｍｍの化粧板３が取り付けられている。
【００１６】
槽本体１の正面側には、縦２８７ｍｍ、横７８０ｍｍの矩形枠立体構造物からなる踏台４が固定されている。この踏台４は、背面側に立上りフランジ４ａが一体に形成され、この立上りフランジ４ａと槽本体１の正面板１ｂとをボルト、ナット等の締結部材５で締結することにより槽本体１に踏台４が固定される。この踏台４の上部枠には、縦２９５ｍｍ、横８００ｍｍ、板厚３ｍｍの縞鋼板６がビス止めされている。
【００１７】
また、架台２及び踏台４の底面隅部には、床面に設置した際に床面の凹凸に対応するため、ねじ込み高さを変えて隅部の高さ調整を行うアジャスタボルト７が取り付けられている。なお、本実施形態における槽本体１、架台２、化粧板３及び踏台４等の主な構成要素の材料は、ステンレス鋼（ＳＵＳ３０４）が使用されている。
【００１８】
槽本体１内の一側には、Ｄ形枠状に形成された桶支持具８が配設されている。具体的には、桶支持具８は、一方の側板１ｃ上部と、その側板１ｃ上部近傍における背板１ｄに溶着されている。この桶支持具８には、同じくＤ形状に形成され、かつモップを洗浄する際に用いる洗剤液が収容される洗剤桶９が着脱可能に掛止される。
【００１９】
槽本体１内の他側には、箱状に形成された洗浄槽１０が配設されている。この洗浄槽１０内には、背板１ｄ近傍における一側面の隅角下部に取り付けられた給水管１１と、他側面近傍に配置され、かつ洗浄槽１０内からその洗浄槽１０の深さの範囲内で立上り状に延びるオーバーフロー管１２と、給水管１１とオーバーフロー管１２との間に配設され、モップを絞るための絞り機構１３とが設けられている。
【００２０】
給水管１１は、一端が洗浄槽１０の外部の槽本体１内に給水入口１１ａとして配置される一方、他端が洗浄槽１０の内部の正面方向に屈曲した給水出口１１ｂに形成されている。そして、給水管１１の給水入口１１ａは、図示しない水供給用パイプに接続され、この水供給用パイプから供給された水が給水入口１１ａを経て給水出口１１ｂから流入することにより、洗浄槽１０下部から洗浄水として洗浄槽１０内に供給される。
【００２１】
オーバーフロー管１２は、その高さが洗浄槽１０の深さの範囲内であって、後述する足踏み用のペダルよりも低く、径が５０ｍｍである。また、オーバーフロー管１２は、一端頂部に排水口１２ａが多数穿設された目皿１２ｂが着脱可能に装着され、他端が後述する排水桝に導かれている。そして、目皿１２ｂには、その着脱操作を容易にするため、図示しない把手が取り付けられている。
【００２２】
絞り機構１３は、固定ローラ１４と、この固定ローラ１４に接離可能な可動ローラ１５と、この可動ローラ１５を支持し可動ローラ１５を固定ローラ１４側に移動させるリンク機構１６と、洗浄槽１０からオーバーフロー管１２よりも高い上方の位置に延びるようにリンク機構１６に連結された足踏み用のペダル１７とを備えている。そして、固定ローラ１４は、図４に示すように洗浄槽１０の内壁に固着したブラケット１８に回転可能に取り付けられている。
【００２３】
リンク機構１６は、図４に示すようにスライダ・クランク機構からなり、ペダル１７に連結ロッド１９を介して連結され、コイルばね２０により常時上方に付勢されているスライダ２１と、このスライダ２１の下部に固定されたガイドピン２２と、一端にガイドピン２２が装着される長孔２３ａが形成され、他端が固定ピン２４に回動可能に軸着されたレバー２３と、一端が固定ピン２４に軸着され、他端に可動ローラ１５が回転可能に取り付けられたクランク２５とを備えている。
【００２４】
このように構成されたリンク機構１６は、ペダル１７を足で踏むと、コイルばね２０の付勢力に抗してスライダ２１が下方に移動し、ガイドピン２２が長孔２３ａ内を移動しつつ固定ピン２４を中心としてレバー２３を反時計方向に揺動させる。すると、クランク２５はレバー２３に対する取付角度を維持した状態で固定ピン２４を中心として反時計方向に揺動することにより可動ローラ１５が固定ローラ１４に圧接する。
【００２５】
また、ペダル１７を足で踏むのを止めると、コイルばね２０の不勢力によりスライダ２１が上方に移動し、ガイドピン２２が長孔２３ａ内を移動しつつ固定ピン２４を中心としてレバー２３を時計方向に揺動させる。すると、クランク２５はレバー２３に対する取付角度を維持した状態で固定ピン２４を中心として時計方向に揺動することにより可動ローラ１５が固定ローラ１４から離反することになる。
【００２６】
ところで、洗浄槽１０の下方には、傾斜底面を有するトラフ２６と、このトラフ２６に連設された排水桝２７とが配設されている。この排水桝２７には、外部に連通する５０ｍｍ径の排水管２８が取り付けられている。したがって、オーバーフロー管１２から排出された排水は、トラフ２６に流入した後、このトラフ２６の傾斜底面を通って排水桝２７に一旦貯留された後、排水管２８を通して槽本体１の外部に排出される。
【００２７】
また、槽本体1底面における桶支持具８と洗浄槽１０との間、すなわち排水桝２７の上部には、図２に示すように角形の係止段部２９が形成され、この係止段部２９に導入蓋３０が着脱可能に装着されている。この導入蓋３０は、角形の係止段部２９に装着するために角形板状に形成され、複数（本実施形態では９個）の流入孔３０ａが穿設されている。したがって、洗剤桶８から溢れ出た洗剤液やこぼした洗浄液は、導入蓋３０の流入孔３０ａから排水桝２７に導かれ、オーバーフロー管１２から排出された排水と同様に排水桝２７に一旦貯留された後、排水管２８を通して槽本体１の外部に排出される。
【００２８】
次に、本実施形態のモップ洗浄器の組立方法について説明する。
【００２９】
まず、床面に架台２を設置する。この場合、架台２のアジャスタボルト７のねじ込み高さを変えて床面に対して架台２を水平に設置する。次いで、桶支持具８及び洗浄槽１０等の主な構成要素が取り付けられた槽本体１を架台２に固定する。
【００３０】
そして、槽本体１の正面に踏台４を固定する。この場合、図３に示すように踏台４の立上りフランジ４ａを槽本体１の正面板１ｂにボルト、ナット等の締結部材５で締結することにより槽本体１の正面に踏台４が固定される。次いで、この踏台４の上部枠に縞鋼板６をビス止めして固定する。
【００３１】
さらに、桶支持具８に洗剤桶９を掛止し、また給水管１１の給水入口１１ａに図示しない水供給用パイプを接続するとともに、排水管２８に排水を外部に排出するための排出パイプを接続することで組立が完了する。
【００３２】
したがって、槽本体１には、予め桶支持具８及び洗浄槽１０等の主な構成要素が取り付けられてユニット化されており、この槽本体１を架台２上に固定した後、槽本体１の正面に踏台４を固定した後、この踏台４に縞鋼板６をビス止めするだけで組立が完了するので、組立、分解作業が容易になる。
【００３３】
次に、本実施形態のモップ洗浄器の使用方法及び作用について説明する。
【００３４】
まず、桶支持具８に洗剤桶９を掛止し、洗剤桶９に洗剤を収容しておく。また、洗浄槽１０内には、水供給用パイプから供給された水を、給水入口１１ａを経て給水出口１１ｂから流入させて洗浄水を満たし、オーバーフロー管１２から溢れるように常に供給する。
【００３５】
次いで、汚れたモップ（図示せず）の紐部分を洗剤桶９に浸漬して洗剤を含ませた後、洗浄水を満たした洗浄槽１０内にモップの紐部分を浸漬し、モップの柄を持って紐部分を洗浄水ですすぐ。
【００３６】
この場合、給水管１１の給水出口１１ｂが正面方向に屈曲しているので、洗浄槽１０内に流入した洗浄水は、洗浄槽１０の側板に沿って流れ、洗浄槽１０の正面板に達した後、さらにその正面板に沿って流れることにより、循環水流となる。これにより、高い洗浄効果が得られる。
【００３７】
そして、洗浄槽１０の下部に取り付けられた給水管１１に対して絞り機構１３を介して反対側に配置され、立上り状に延びるオーバーフロー管１２から洗浄した後の水を排出するようにしたので、洗浄槽１０に流入した洗浄水の流れる経路が長くなるので、それだけ洗浄効率が高められる。
【００３８】
次いで、洗浄してモップの紐部分が綺麗になったら、ペダル１７を踏んで固定ローラ１４と可動ローラ１５との間に紐部分を挟み込んで脱水した後、モップの柄を手で引き上げる。具体的には、ペダル１７を足で踏むと、コイルばね２０の付勢力に抗してスライダ２１が下方に移動し、ガイドピン２２が長孔２３ａ内を移動しつつ固定ピン２４を中心としてレバー２３を反時計方向に揺動させる。すると、クランク２５は固定ピン２４を中心として反時計方向に揺動することにより可動ローラ１５が固定ローラ１４に圧接する。
【００３９】
その後、ペダル１７から足を離すと、コイルばね２０の不勢力によりスライダ２１が上方に移動し、ガイドピン２２が長孔２３ａ内を移動しつつ固定ピン２４を中心としてレバー２３を時計方向に揺動させる。すると、クランク２５は固定ピン２４を中心として時計方向に揺動することにより可動ローラ１５が固定ローラ１４から離反することになる。
【００４０】
さらに、オーバーフロー管１２からの排水は、トラフ２６に流入し、この排水はトラフ２６の傾斜底面を通って排水桝２７に一旦貯留された後、排水管２８を通して槽本体１の外部に排出される。以上の工程を経て洗浄作業が終了する。
【００４１】
このように本実施形態によれば、洗浄槽１０下部に取り付けられた給水管１１から洗浄水を供給し、洗浄槽１０内からその深さの範囲内で立上り状に延びるオーバーフロー管１２を経て排水するようにしたので、洗浄槽１０内にモップを洗浄するための望ましい循環水流を発生できるとともに、洗浄槽１０に流入した洗浄水の流れる経路が長くなるので、それだけ洗浄効率が高められる。その結果、電源及びモーター等の駆動源が不要となり、モップを効率よく洗浄できる。
【００４２】
また、本実施形態によれば、洗剤桶９と洗浄槽１０とが同じ槽本体１内に配置されているので、モップに洗剤液を付けて洗浄槽１０での洗浄作業が容易になるとともに、床面に洗剤液をこぼすことがなくなり、床面を汚すことがなくなる。
【００４３】
さらに、本実施形態によれば、洗剤桶９から槽本体１底面に溢れ出たり、こぼした洗剤液を、導入蓋３０を経て排水桝２７に導くようにしたので、槽本体１底面からの洗剤液の排出が容易になり、槽本体１底面を常に清潔にしておくことができる。
【００４４】
そして、本実施形態によれば、洗浄槽１内からその深さの範囲内で立上り状に延び、頂部に排水口１２ａを有するオーバーフロー管１２を設けたので、洗浄槽１０から外部に洗浄水が溢れるという不測の事態を未然に防止できる。
【００４５】
なお、本発明は上記実施形態に限らず種々の変更が可能である。例えば、上記実施形態において、給水管１１の給水出口１１ｂに洗浄水に気泡を発生させるような器具を取り付けるようにすれば、一段と洗浄効果が高められる。そして、給水管１１の給水入口１１ａに対して給水出口１１ｂの径を小さくすれば、洗浄槽１０内に発生する循環水流の勢いを増すことができ、極めて高い洗浄効果が得られる。
【００４６】
また、上記実施形態では、桶支持具８を槽本体１内の一側に配置するようにしたが、これ以外に桶支持具８が導入蓋３０の上方になるように背板１ｄに溶着すれば、長手方向の寸法を短くでき、槽本体１の小型化が図れる。ここで、モップをすすぐ場合や絞り機構１３により絞る場合には、洗浄槽１０から洗浄水が飛散して洗剤桶９に入る可能性があるので、洗浄槽１０と桶支持具８との間を所定間隔に維持する必要がある。
【００４７】
さらに、上記実施形態では、水供給用パイプから供給された水を洗浄水として洗浄槽１０に満たし、オーバーフロー管１２から溢れるように常に供給するようにしたが、これ以外に、洗浄水を洗浄槽１０に満たしたときに水供給用パイプからの水の供給を停止するようにしてもよい。
【図面の簡単な説明】
【００４８】
【図１】本発明に係るモップ洗浄器の一実施形態を示す正面構成図である。
【図２】図１の平面図である。
【図３】図１の側面構成図である。
【図４】図３の絞り機構を示す拡大図である。
【図５】一実施形態の全体の斜視図である。
【符号の説明】
【００４９】
１  槽本体
４  踏台
８  桶支持具
９  洗剤桶
１０  洗浄槽
１１  給水管
１２  オーバーフロー管
１３  絞り機構
１４  固定ローラ
１５  可動ローラ
１６  リンク機構
１７  ペダル
２７  排水桝
２８  排水管
３０  導入蓋
【図１】
2006263123.tif 000003
【図２】
2006263123.tif 000004
【図３】
2006263123.tif 000005
【図４】
2006263123.tif 000006
【図５】
2006263123.tif 000007